(57)【要約】【課題】掃除口を塞ぐねじ蓋部材にストップバルーンと試験に必要な空気通路をユニット化して満空試験の作業を簡単迅速に行える空圧供給装置の提供。【解決手段】排水縦管の掃除用継手の掃除口と気密に螺合するねじ蓋部材７に、２本の貫通孔を設け、各貫通孔にニップルを夫々埋設し、一方のニップルの一端部にカップリングを介してストップバルーンに連なる第１空気通路２１を設け、該ニップルの他端部には逆止弁を備えたストップバルーン内への圧力空気導入用の第２空気通路２４を設け、もう一方のニップルの一端部を排水縦管内に開放するとともに該ニップルの他端部にはカップリングと圧力計とストップ弁及び逆止弁を備えた圧力空気導入用の第３空気通路３０を設け、第２空気通路と第３空気通路とに選択的に接続される圧力計付きの空圧源を設けた。【選択図】図４
0003215482.tif 000002
【実用新案登録請求の範囲】
【請求項１】
建造物の排水縦管の中間部に配設された掃除用継手の掃除口と気密に螺合するねじ蓋部材に、内外に貫通した２本の貫通孔を設け、各貫通孔にニップルを夫々埋設し、一方のニップルの一端部にはカップリングを介して膨縮自在なストップバルーンに連なる第１空気通路を設けるとともに該ニップルの他端部には逆止弁を備えたストップバルーン内への圧力空気導入用の第２空気通路を設け、もう一方のニップルの一端部を排水縦管内に開放するとともに該ニップルの他端部にはカップリングと圧力計とストップ弁及び逆止弁を備えた排水縦管内への圧力空気導入用の第３空気通路を設け、第２空気通路と第３空気通路とに選択的に接続される圧力計付きの空圧源を備えたことを特徴とする満空試験用空圧供給装置。
【請求項２】
上記第１空気通路は、上記空圧源から排水縦管内に供給される空気圧により生じるストップバルーンの上面に加わる力に耐え得る強度を有するエアホースで構成したことを特徴とする請求項１に記載の満空試験用空圧供給装置。
【請求項３】
上記第１空気通路は、上記ストップバルーンの全体が上記排水縦管内に位置し得る長さを有することを特徴とする請求項１に記載の満空試験用空圧供給装置。
【考案の詳細な説明】
【技術分野】
【０００１】
本考案は、多層階住宅等の建造物に施工された排水管系統の漏水の有無を、排水縦管に導入した空気圧により検査する満空試験に使用される空圧供給装置に関する。
【背景技術】
【０００２】
従来、建造物に配管施工された排水縦管の漏水の有無を試験する方法として、排水縦管系統内を満水状態に注水し、一定時間経過後に水面の低下の有無を見て漏水を検査する満水試験が知られている。この試験は漏水箇所があるとそこから建造物内へ試験水が漏出して水濡れさせてしまう不都合や試験終了後に管内の試験水を建造物内へこぼさずに安全に抜き出す作業に時間が掛かるなどの不都合がある。こうした不都合のない試験方法として、排水管の漏洩測定系統内に圧力空気を充填し、所定時間後にその系統の圧力の低下状態を見ることにより漏洩の有無を判定し、圧力が低下した場合、漏洩箇所を石鹸水などを塗布して検出する満空試験が知られている（特開平２−２１２７３３号公報）。
【０００３】
この満空試験には排水縦管の中間部に配設された掃除用継手の掃除口を利用して行う方法が比較的簡便であり、この掃除口から排水縦管の下部を閉塞するための空気圧で膨縮するゴム製のストップバルーンを挿入してこれを空気圧で膨らませ、排水縦管の上部やこれに連なる横枝管の端部を密閉キャップで閉塞したのち掃除口から閉塞された縦管内に圧力空気を導入してその圧力が所定時間維持されているか否かを測定することで漏洩箇所の有無を確認することも行われている。通常は３５ｋＰａ（キロパスカル）を１５分間維持されていることを漏洩有無の判断基準としている。
【０００４】
この掃除口を利用した満空試験では、上記したストップバルーンや密閉キャップ、エアポンプの空圧源、掃除口の蓋等が試験用機材として使用されているが、掃除口の蓋構造が当て板式のものにしか利用できず、旋回するキャップ状のねじ蓋式の掃除口を有する掃除用継手が配設された排水管系統の満空試験には使用できない欠点があった。
【先行技術文献】
【特許文献】
【０００５】
【特許文献１】特開平２−２１２７３３号公報
【考案の概要】
【考案が解決しようとする課題】
【０００６】
満空試験の実施には、排水縦管内へのストップバルーンの挿入や、このバルーン及び閉塞された排水縦管内に圧力空気を送り込むための空気通路を形成する作業が必要であり、こうした作業を簡単かつ迅速に行えることが望ましい。
本考案は、掃除口を塞ぐねじ蓋部材にストップバルーンと試験に必要な空気通路をユニット化することにより上記作業を簡単かつ迅速に行える満空試験用空圧供給装置を提供することを目的とするものである。
【課題を解決するための手段】
【０００７】
本考案では上記課題を解決すべく、建造物の排水縦管の中間部に配設された掃除用継手の掃除口と気密に螺合するねじ蓋部材に、内外に貫通した２本の貫通孔を設け、各貫通孔にニップルを夫々埋設し、一方のニップルの一端部にはカップリングを介して膨縮自在なストップバルーンに連なる第１空気通路を設けるとともに該ニップルの他端部には逆止弁を備えたストップバルーン内への圧力空気導入用の第２空気通路を設け、もう一方のニップルの一端部を排水縦管内に開放するとともに該ニップルの他端部にはカップリングと圧力計とストップ弁及び逆止弁を備えた排水縦管内への圧力空気導入用の第３空気通路を設け、第２空気通路と第３空気通路とに選択的に接続される圧力計付きの空圧源を備えるようにした。該第１空気通路は、該空圧源から排水縦管内に供給される空気圧により生じるストップバルーンの上面に加わる力に耐え得る強度を有するエアホースで構成しておくことが好ましく、また、該第１空気通路は、該ストップバルーンの全体が該排水縦管内に位置し得る長さを有することが望ましい。
【考案の効果】
【０００８】
満空試験は、排水縦管の上部やこれに連なる横枝管の端部を密閉キャップで閉塞し、上流側の掃除口からストップバルーンを排水縦管の下部へ挿入し、ねじ蓋部材を該掃除口に気密に螺合させ、空圧源から第２空気通路と第１空気通路を介してストップバルーンへ圧力空気を供給して膨らませることで排水縦管の上流側を閉塞する。さらに下流側の掃除口にも上流側と同じようにストップバルーンを排水縦管の下部へ挿入し、ねじ蓋部材を該掃除口に気密に螺合させ、空圧源から第２空気通路と第１空気通路を介してストップバルーンへ圧力空気を供給して膨らませることで排水縦管の下流側を閉塞したのち第３空気通路から該排水縦管内へ圧力空気を導入して空気圧の維持状態を測定することにより行われるが、該ストップバルーンへの第１空気通路には回転自在で気密な連結を行なえるカップリングが介在されており、排水縦管内への圧力空気導入用の第３空気通路にも回転自在で気密な連結を行なえるカップリングが介在されているので、ねじ蓋部材を掃除口に螺合させるとき該ねじ蓋部材が旋回されてもストップバルーンやこれに連なるエアホースは旋回することがなく、ストップバルーンの歪みやエアホースのねじれが生じないから確実にストップバルーンを膨らませて正確な試験を行える。また、ねじ蓋部材にストップバルーンだけでなく圧力計やストップ弁、逆止弁を取り付ける構成になっているから、ねじ蓋部材を掃除口にねじ止めするだけで満空試験の主要機器を一挙にセットすることが可能になり、満空試験の準備作業が迅速且つ容易に行える。第１空気通路をストップバルーンの上面に加わる力に耐える強度を有するエアホースで構成することで、ストップバルーンをねじ蓋部材に確実に係着して排水縦管内へ落下することを防止でき、また、第１空気通路の長さをストップバルーンの全体が排水縦管内に位置し得る長さとすることでストップバルーンと排水縦管内壁との密着性が向上し、管内の閉塞が確実になる。
【図面の簡単な説明】
【０００９】
【図１】建造物の排水縦管の構成図
【図２】図１の一部拡大図
【図３】掃除口継手の切断側面図
【図４】本考案の実施例の一部切断側面図
【図５】図４の５−５線部分の側面図
【図６】第１空気通路の装着状態を示す説明図
【図７】本考案装置の取付け状態を示す説明図
【図８】ねじ蓋部材の螺着状態を示す説明図
【図９】ねじ蓋部材の螺着状態を示す説明図
【図１０】ストップバルーンを膨張させた状態の説明図
【図１１】密閉キャップの平面図
【図１２】図１１の１２−１２線部分の切断側面図
【図１３】ニップルとカプラの取付け状態を示す切断側面図
【考案を実施するための形態】
【００１０】
本考案の実施の形態を図１に示した構成の排水管系統について説明すると、同図において符号１は建造物２のフロアーを貫通して上下に延びる排水縦管を示し、該排水縦管１には管継手３を介して横枝管４が分岐配設され、数階おきのフロアーの排水縦管１には図２に示すように排水管清掃用の掃除用継手５が設けられている。該掃除用継手５は、図３に明示したように掃除口６にシールリング８を備えた耐火性ねじ蓋部材３３を螺合させて気密に閉塞され、排水縦管１内の清掃時には、該耐火性ねじ蓋部材３３を取り外して掃除道具を管内へ導入できるように構成されている。
【００１１】
こうした構成の排水縦管１の配管は、新たに完成した部分毎に漏洩箇所の有無を試験するのが一般的であり、例えば新たに部分９の配管が完成すると、その完成部分の漏洩試験のために、その部分９を密閉し、エアポンプなどの空圧源から圧力空気が導入される。完成部分９の密閉は、図１１及び図１２に見られるような、ねじ軸１１ｅに挿通した２枚の押圧板１１ａ、１１ｂの間に環状のゴムパッキン１１ｃを介在させ、蝶ナット１１ｄにより締付けすることでゴムパッキン１１ｃを側方へせり出させて密閉する形式の密閉キャップ１２を、横枝管４の上端開放部へ取付け、排水縦管１内の上下にゴム製のストップバルーンを配設してこれを圧力空気により膨張させることで完成部分９を閉塞し、さらに掃除口６にねじ蓋部材７を旋回螺着して行われる。こうした密閉状態の構成は従来の満空試験のものと特に変わりがないが、耐火性ねじ蓋部材３３を備えた掃除口６の場合、ねじ蓋部材を旋回して取付けするので、これと一体にストップバルーンへの空気通路を設けると、空気通路がねじ蓋部材の旋回に伴ってねじれるため通路が変形もしくは詰まってしまい空気の流通が確保できず、ねじ蓋部材に圧力計やストップ弁などの試験用機材を取付けることも困難である。
【００１２】
本考案の装置は、図４乃至図６に示す構成とすることにより上記困難等を解消したもので、モルタルの耐火被覆３６を施した耐火性ねじ蓋部材３３と同径でシールリング８を備えた合成樹脂製のねじ蓋部材７を用意し、このねじ蓋部材７に内外に貫通して２本の貫通孔１６を設け、各貫通孔１６にニップル１７、１８を夫々埋設した。そして、一方のニップル１７の一端部１９にはこれと回転自在且つ気密に連結されるカップリング２０を介して膨縮自在なゴム製のストップバルーン１３に連なる第１空気通路２１を設けるとともに該ニップル１７の他端部２２には逆止弁２３を備えたストップバルーン１３内への圧力空気導入用の第２空気通路２４を設け、もう一方のニップル１８の一端部２６を排水縦管１内に開放するとともに該ニップル１８の他端部２７にはこれと回転自在且つ気密に連結されるカップリング２８と圧力計１４とストップ弁１５及び逆止弁２９を備えた排水縦管１内への圧力空気導入用の第３空気通路３０を設け、これら第２空気通路２４と第３空気通路３０とに選択的に接続される圧力計３１付きの空圧源１０を備えた構成とした。
【００１３】
該第１空気通路２１の一部は、空圧源１０から排水縦管１内に供給される３５ｋＰａ程度の空気圧によりストップバルーン１３の上面に加わる力に耐え得る強度を有する例えば補強繊維で補強されたエアホースで構成し、ストップバルーン１３が排水縦管内に落下しないようにねじ蓋部材７に係着した。また、該第１空気通路２１は、ストップバルーン１３の全体が排水縦管１内に位置し得る長さに構成し、これによりストップバルーン１３の側面が排水縦管１の内面と接する面積が大きくなって管内の閉塞性が向上する。第２空気通路２４にはエアホース３４とその端部に設けた逆止弁２３とを設け、第３空気通路３０にはカップリング２８、圧力計１４、ストップ弁１５、エアホース３５を順次に接続し、該エアホース３５の端部に逆止弁２９を取付けして構成した。これらの逆止弁２３、２９は空圧源１０から送り込まれる圧力空気を通過させるが、その逆方向への流通を阻止するばね付逆止弁を使用した。
【００１４】
該カップリング２０、２８には、夫々カプラ２５とこれに着脱自在に取り付けされるソケット３２を有する公知のもの（日東工器  商品名カプラ）を使用した。該カプラ２５は、図１３に示したようにニップル１７、１８にねじ止めされ、これにソケット３２を嵌着した。
【００１５】
図示した本考案の装置により満空試験を行う場合、まず密閉キャップ１２で管継手３の上端開放部や横枝管４の上端開放部を従来と同様に閉塞しておき、ストップバルーン１３を掃除口６から排水縦管１内へ挿入し（図７）、ねじ蓋部材７を回してこれを掃除口６に螺着する。その際ねじ蓋部材７のねじ込みに伴う回転はカップリング２０により遮断されてストップバルーン１３まで伝わらず、第１空気通路２１が図８及び図９に見られるように振れるだけですむので、該第１空気通路２１が捩じれたりストップバルーン１３が変形することがなく、同時に第３空気通路３０もカップリング２８の作用で捩じれることがない。次いで空圧源１０を第２空気通路２４に繋ぎ、空圧源１０の圧力計３１を見ながら３４ｋＰａの圧力空気を送り込むと図１０示のように捩じれ等のない該第１空気通路２１を介してストップバルーン１３に注入され、これを予定通りの大きさに膨張させることができ、排水縦管１内を確実に閉塞できる。そして空圧源１０の接続を第３空気通路３０に切り換え、ストップ弁１５を開いて空圧源１０から排水縦管１内へ圧力計３１の値が例えば３５ｋＰａになるまで圧力空気を送り込み、ストップ弁１５を閉じて所定時間例えば１５分後に縦管１内の圧力を確認し、圧力の低下がなければ配管完成部分の漏洩がないと判定される。もし、耐水縦管１内の圧力の維持が所定時間維持できなかった場合、従来と同様に、配管接続部に石鹸水などを塗布して漏洩箇所を探索し、その箇所の漏れを補修し、再度満空試験を行う。
【００１６】
該空圧源１０の接続を第２空気通路２４から第３空気通路３０に切り換えたとき、ストップバルーン１３内の圧力空気は逆止弁２３により閉じ込められ、バルーン１３の膨張が維持される。また第３空気通路３０にも逆止弁２９を設けたので、縦管１内の圧力が所定の圧力となったのち空圧源１０との接続を解除することも可能である。図示の例では、排水縦管１を耐火二層管で構成したが、塩ビ管や鋳鉄管などを使用しても良い。
【符号の説明】
【００１７】
１  排水縦管、２  建造物、５  掃除用継手、６  掃除口、７  ねじ蓋部材、１０  空圧源、１３  ストップバルーン、１４  圧力計、１５  ストップ弁、１６  貫通孔、１７  ニップル、１８  ニップル、１９  一端部、２０  カップリング、２１  第１空気通路、２２  他端部、２３  逆止弁、２４  第２空気通路、２６  一端部、２７  他端部、２８  カップリング、２９  逆止弁、３０  第３空気通路、３１  圧力計、
【図１】
0003215482.tif 000003
【図２】
0003215482.tif 000004
【図３】
0003215482.tif 000005
【図４】
0003215482.tif 000006
【図５】
0003215482.tif 000007
【図６】
0003215482.tif 000008
【図７】
0003215482.tif 000009
【図８】
0003215482.tif 000010
【図９】
0003215482.tif 000011
【図１０】
0003215482.tif 000012
【図１１】
0003215482.tif 000013
【図１２】
0003215482.tif 000014
【図１３】
0003215482.tif 000015